(57)【要約】  ショーケースは、上面を開口したショーケース本体（２）と、ショーケース本体内に配置され、収納スペースを形成する内箱（３）と、内箱の側面部に設けられた本体側係合部（３ｄ）と、内箱内に移動可能に配置され、姿勢変更によって異なる傾斜の商品載置面を形成する１又は複数の商品載置部材（２０）とを備える。  そして、商品載置部材は、商品載置面となる平板状の載置部（２１）と、載置部から角度を持って延在する支持部（２２）と、係止部（２３ａｂ）と、部材側係合部（２３ｃ）とを有し、載置部と支持部との間の角部が上に凸の姿勢で、係止部が本体側係合部又は他の商品載置部材の部材側係合部に引っ掛けられた状態で内箱内に配置されることで、内箱内に傾斜した商品載置面が形成される。
2017141387.tif 000002
【特許請求の範囲】
【請求項１】
上面を開口したショーケース本体と、  前記ショーケース本体内に配置され、収納スペースを形成する内箱と、  前記内箱の側面部に設けられた本体側係合部と、  前記内箱内に移動可能に配置され、姿勢変更によって異なる傾斜の商品載置面を形成する１又は複数の商品載置部材とを備え、  前記商品載置部材は、前記商品載置面となる平板状の載置部と、前記載置部から角度を持って延在する支持部と、係止部と、部材側係合部とを有し、前記載置部と前記支持部との間の角部が上に凸の姿勢で、前記係止部が前記本体側係合部又は他の前記商品載置部材の前記部材側係合部に引っ掛けられた状態で前記内箱内に配置されることで、前記内箱内に傾斜した前記商品載置面が形成されるショーケース。
【請求項２】
前記商品載置部材は、適宜間隔で配置した複数の縦線材と前記縦線材に対して交差して互いに並行に配置された複数の横線材とを接合した接合体を折り曲げて前記載置部と前記支持部とが形成され、前記複数の縦線材のうちの一部が、他の前記縦線材よりも延長され、その先端が折り曲げられて前記係止部を形成しており、また、前記複数の横線材のうち、前記載置部において前記支持部側の端に設けられた前記横線材が前記部材側係合部となる請求項１記載のショーケース。
【発明の詳細な説明】
【技術分野】
【０００１】  本発明は、上面が開口したショーケースに関する。
【背景技術】
【０００２】  従来、上面が開口したショーケース本体を備え、ショーケース本体内の底面を平板状に形成し、その上方に任意の商品を収納するようにしたショーケースがある。この種のショーケースにおいて、ショーケース本体内の底面上に複数の商品載置部材を備えたものがある。このショーケースでは、商品載置部材をショーケース本体内の底面上の任意の位置に移動可能とし、商品の収納状況に応じて商品載置部材の配置を変えることで、商品の展示効果を高めるようにしている（例えば、特許文献１参照）。【０００３】  この特許文献１において、商品載置部材は中空の四角形の箱状に形成されている。そして、商品載置部材を適宜積み重ねることで、ショーケース本体の前方側から後方側に向かうにしたがって一段ずつ高くなるような商品載置面を形成したり、一部が高くなる商品載置面を形成したり、商品載置面の形状を任意に変えることを可能としている。
【先行技術文献】
【特許文献】
【０００４】
【特許文献１】特開２００２−３３３２５２号公報
【発明の概要】
【発明が解決しようとする課題】
【０００５】  特許文献１のショーケースにおいて、商品載置部材が中空の四角形の箱状に形成にされているため、商品載置部材を陳列部材として使用する場合、各商品載置部材の上面（商品載置面）は水平面となる。商品として例えばペットボトルを横に倒した状態で商品載置面上に陳列する場合、商品載置面が水平面であると、ショーケースの前面に立ったユーザからすると、商品載置面が前方側から後方側に向かうに連れて高くなる傾斜面の場合に比べて見づらいという問題があった。また、商品載置部材を複数組み合わせて商品載置面を形成した場合であっても、各商品載置部材の上面はどこも水平面となるため、商品載置面の形状としてバリエーションに乏しいものであった。【０００６】  本発明はこのような点を鑑みなされたもので、商品の傾斜陳列を様々なバリエーションで行うことが可能なショーケースを提供することを目的とする。
【課題を解決するための手段】
【０００７】  本発明に係るショーケースは、上面を開口したショーケース本体と、ショーケース本体内に配置され、収納スペースを形成する内箱と、内箱の側面部に設けられた本体側係合部と、内箱内に移動可能に配置され、姿勢変更によって異なる傾斜の商品載置面を形成する１又は複数の商品載置部材とを備え、商品載置部材は、商品載置面となる平板状の載置部と、載置部から角度を持って延在する支持部と、係止部と、部材側係合部とを有し、載置部と支持部との間の角部が上に凸の姿勢で、係止部が本体側係合部又は他の商品載置部材の部材側係合部に引っ掛けられた状態で内箱内に配置されることで、内箱内に傾斜した商品載置面が形成されるものである。
【発明の効果】
【０００８】  本発明によれば、商品載置部材の係止部を内箱に設けられた本体側係合部に係止させたり、他の商品載置部材の部材側係合部に係止させて複数の商品載置部材を組み合わせて用いたりすることで、商品の傾斜陳列を様々なバリエーションで行うことが可能なショーケースを提供できる。
【図面の簡単な説明】
【０００９】
【図１】本発明の実施の形態１に係るショーケースの一例を示す図である。
【図２】図１のショーケースの商品載置部材を示す斜視図である。
【図３】図１のショーケースの商品載置部材を示す図である。
【図４】図１のショーケースの商品載置部材を用いた別の陳列例１を示す図である。
【図５】図１のショーケースの商品載置部材を複数組み合わせた陳列例２を示す図である。
【図６】図５の陳列例２において複数の商品載置部材を組み合わせた状態を示す図である。
【図７】図１のショーケースの商品載置部材を複数組み合わせた陳列例３を示す図である。
【図８】図１のショーケースの商品載置部材を複数組み合わせた陳列例４を示す図である。
【発明を実施するための形態】
【００１０】  以下、図面を参照して、本発明の実施の形態について説明する。なお、各図中、同一又は相当する部分には、同一符号を付して、その説明を適宜省略又は簡略化する。また、各図に記載の構成について、その形状、大きさ及び配置などは、本発明の範囲内で適宜変更することができる。また、以下の説明で用いる「上」「下」「左」「右」「前」「後」は、特に断らない限り、ショーケースを正面側から見た場合の方向を意味している。
【００１１】実施の形態１．  図１は、本発明の実施の形態１に係るショーケースの一例を示す図である。図１において左側がショーケースの正面である。  ショーケース１は、例えば飲料物などの商品３０を陳列した状態で冷却を行うものであって、上面が開口されたショーケース本体２と、ショーケース本体２内に配置された内箱３とを備え、ショーケース本体２と内箱３との間を循環風路空間４として確保している。そして、この循環風路空間４の一端を吸込口５、他の一端を送風口６とし形成して、ショーケース本体２の上面開放面に臨ませるものである。
【００１２】  内箱３は、いわゆるデッキパンと呼ばれる底面部３ａ、前面部３ｂ、背面部３ｃ、左側面部及び右側面部で構成されており、内箱３の内部が収納スペース７となっている。
【００１３】  また、循環風路空間４には、冷却装置１０と送風ファン１１とが配置されており、吸込口５から吸入した空気を冷却装置１０で冷却し、送風口６から吐出するようになっている。
【００１４】  ショーケース本体２の下部は機械室１２となっており、ここに圧縮機１３、凝縮器１４、凝縮器１４に送風する凝縮器ファン１５等が配置されている。
【００１５】  冷却装置１０は、周知なように、冷却面積を大きくするためにフィンチューブ形の蒸発コイルが一般に採用されており、この蒸発コイルには高圧側冷媒配管から膨張弁を介して液冷媒を供給している。
【００１６】  そして、ショーケース１は、ショーケース本体２内に本実施の形態１の特徴部分である１又は複数の商品載置部材２０を備えている。
【００１７】  図２は、図１のショーケースの商品載置部材を示す斜視図である。図３は、図１のショーケースの商品載置部材を示す図で、（ａ）は平面図、（ｂ）は側面図である。  商品載置部材２０は、ショーケース本体２内の底面部３ａ上に移動可能に配置されて用いられるものであり、商品が載置される平板状の載置部２１と、載置部２１から角度を持って延在する支持部２２とを備えている。載置部２１及び支持部２２は、例えばステンレス製のワイヤー等で構成された複数の線材を縦横に交差した状態で接合し、その接合体を折り曲げて形成されている。具体的には、間隔を空けて配置した複数の縦線材２３ａとこの縦線材２３ａに対して交差して互いに並行に配置された複数の横線材２３ｂとで形成されている。
【００１８】  複数の縦線材２３ａのうちの一部（ここでは２つ）は、他の縦線材２３ａよりも延長され、その先端が折り曲げられて係止部２３ａｂを形成している。また、複数の横線材２３ｂのうち、載置部２１において支持部２２側の端に設けられた横線材２３ｂは他の商品載置部材２０の係止部２３ａｂが係止される部材側係合部２３ｃとして機能する。
【００１９】  商品載置部材２０の左右方向の長さ（図１の紙面に直交する方向の長さ）は、特に限定するものではないが、例えば商品３０として用いられる製品のサイズに応じて決めてればよい。例えば５００ｍｌのペットボトルを横置きして陳列する場合、商品載置部材２０の左右方向の長さは例えば２００〜２７０ｍｍとされる。また、左右幅の異なるショーケースで共通に使用できる幅寸法としてもよいし、また、左右方向に商品載置部材２０を複数並べて配置可能な幅寸法としてもよいし、左右方向に商品載置部材２０を一つだけ並べることを想定して、内箱３の左右方向の幅よりわずかに小さい幅寸法としてもよい。
【００２０】  商品載置部材２０は、載置部２１と支持部２２との間の角部２４が上に凸の姿勢で用いられ、係止部２３ａｂを内箱３の背面部３ｃに設けた貫通孔で構成された本体側係合部３ｄに引っ掛けている。このように商品載置部材２０を内箱３に引っ掛けた姿勢で用いることで、載置部２１が内箱３の底面部３ａよりも高い位置に位置し、ショーケース１本体の前方側から後方側に向かうに連れて高くなる商品載置面が形成される。
【００２１】  このように商品載置面を傾斜面として商品３０を傾斜陳列すると、商品３０が収納スペース７から取り出された場合に、後方に残った商品３０を、後方から前方に自動的に前出しすることができ、陳列作業を簡略化することができる。
【００２２】  本実施の形態１は、商品載置部材２０を用いて様々なバリエーションの傾斜陳列を行えることを特徴としたものであり、以下、別の陳列例として４つのバージョンを順次説明する。
【００２３】（陳列例１）  図４は、図１のショーケースの商品載置部材を用いた別の陳列例１を示す図である。  上記図１では、商品載置部材２０の係止部２３ａｂを背面部３ｃの本体側係合部３ｄに引っ掛けて使用した例を示したが、図４では、商品載置部材２０を、角部２４が上に凸の姿勢で単に内箱３の底面部３ａ上に置いた状態を示している。
【００２４】  商品載置部材２０をこのように配置した場合、内箱３の底面部３ａからなだらかに傾斜する商品載置面を形成でき、傾斜陳列を行うことができる。
【００２５】  上記の陳列例は、商品載置部材２０を一つ用いて行うものであったが、以下では、商品載置部材２０を複数組み合わせて陳列を行う陳列例について説明する。
【００２６】（陳列例２）  図５は、図１のショーケースの商品載置部材を複数組み合わせた陳列例２を示す図である。図６は、図５の陳列例２において複数の商品載置部材を組み合わせた状態を示す図である。  図５及び図６では、二つの商品載置部材２０のうちの一方の商品載置部材２０の係止部２３ａｂを他方の商品載置部材２０の部材側係合部２３ｃに係止させて組み合わせ、他方の商品載置部材２０の係止部２３ａｂを内箱３の背面部３ｃに設けた本体側係合部３ｄに引っ掛けている。このように複数の商品載置部材２０を組み合わせ、そのうちの一つの商品載置部材２０を内箱３の背面部３ｃに引っ掛けることで、内箱３の底面部３ａよりも高い位置に各載置部２１が位置し、内箱３内に前方側から後方側に向かうに連れて高くなる商品載置面を図１よりも広範囲に形成することができる。
【００２７】（陳列例３）  図７は、図１のショーケースの商品載置部材を複数組み合わせた陳列例３を示す図である。  図７では、図６に示したように組み合わせた２つの商品載置部材２０を、図５の配置とは前後逆とし、また、内箱３の本体側係合部３ｄへの係止は行わず単に底面部３ａ上に置いた状態としたものである。このように配置することで、内箱３の底面部３ａからなだらかに傾斜する商品載置面を図４よりも広範囲に形成することができる。
【００２８】（陳列例４）  図８は、図１のショーケースの商品載置部材を複数組み合わせた陳列例４を示す図である。  図８では、複数（ここでは２つ）の商品載置部材２０を、角部２４が上に凸の姿勢で底面部３ａ上で前後に配置したものである。このように配置することで、同じ角度に傾斜する商品載置面を収納スペース７内において前後に複数（ここでは２つ）形成することができる。
【００２９】  以上説明したように、本実施の形態１によれば、商品載置部材２０を、平板状の載置部２１と、載置部２１から角度を持って延在する支持部２２と、内箱３に設けられた本体側係合部３ｄ又は他の商品載置部材２０の部材側係合部２３ｃに係止する係止部２３ａｂと、部材側係合部２３ｃとを備えた構成とした。これにより商品載置部材２０の係止部２３ａｂを内箱３に設けられた本体側係合部３ｄに係止させたり、他の商品載置部材２０の部材側係合部２３ｃに係止させて複数の商品載置部材２０を組み合わせて用いたり、また、単に底面部３ａ上に直接、単数又は複数、配置したり等とすることで、様々なバリエーションの商品載置面を形成できる。
【００３０】  また、図１及び図５に示したような底上げ陳列を行うようにすると、商品３０が少ないときもボリュームアップ陳列を演出することができる。
【００３１】  また、商品載置面を傾斜面としたため、商品３０の傾斜陳列が可能となる。よって、商品３０が収納スペース７から取り出された場合に、後方に残った商品３０を、後方から前方に自動的に前出しすることができ、陳列作業を簡略化することができる。
【００３２】  なお、商品を自動的に前出しする観点から、本体側係合部３ｄを内箱３の背面部３ｃに設けた構成を例示したが、背面部３ｃに限定するものではない。様々なバリエーションの商品載置面を形成する観点から、本体側係合部３ｄを左側面部又は右側面部に設けてもよい。この場合、左側面部又は右側面部から中央部に向かって下方に傾斜する商品載置面が形成されることになる。要するに、商品載置部材２０の係止部２３ａｂが引っ掛けられる本体側係合部３ｄは、内箱の側面部（前面部３ｂ、背面部３ｃ、左側面部及び右側面部）の何れかに設けられていればよい。
【００３３】  また、上記では、商品載置部材２０を複数の線材で構成した例を説明したが、この構成に限られたものではない。例えば、載置部２１及び支持部２２をそれぞれ板状部材で構成してもよく、また、係止部２３ａｂが係止される部材側係合部２３ｃを、係止部２３ａｂを係止可能な貫通孔で形成するなど、商品載置部材２０を本発明の要旨を逸脱しない範囲で構成要素を変形して具体化できる。また、本体側係合部３ｄについても、背面部３ｃに設けた貫通孔に限定するものではなく、商品載置部材２０の係止部２３ａｂが係止可能な構成であればよい。
【符号の説明】
【００３４】  １  ショーケース、２  ショーケース本体、３  内箱、３ａ  底面部、３ｂ  前面部、３ｃ  背面部、３ｄ  本体側係合部、４  循環風路空間、５  吸込口、６  送風口、７  収納スペース、１０  冷却装置、１１  送風ファン、１２  機械室、１３  圧縮機、１４  凝縮器、１５  凝縮器ファン、２０  商品載置部材、２１  載置部、２２  支持部、２３ａ  縦線材、２３ａｂ  係止部、２３ｂ  横線材、２３ｃ  部材側係合部、２４  角部、３０  商品。
【図１】
2017141387.tif 000003
【図２】
2017141387.tif 000004
【図３】
2017141387.tif 000005
【図４】
2017141387.tif 000006
【図５】
2017141387.tif 000007
【図６】
2017141387.tif 000008
【図７】
2017141387.tif 000009
【図８】
2017141387.tif 000010
【国際調査報告】
2017141387.tif 000011
2017141387.tif 000012
2017141387.tif 000013
2017141387.tif 000014